(57)【要約】【課題】  被服等に付着したシミを取り除くことはもちろんのこと、塵埃の入り混じった汚水等も吸引し、清掃することを可能にしたコンパクトな簡易バキューム装置を提供することを目的とする。【解決手段】  装置本体２に設けられ、家庭用掃除機の吸込みホースに接続される排出口２２と、前記装置本体２の内部に設けられた気液分離器５と、前記気液分離器５に接続された水受４と、前記装置本体２に設けられ、前記気液分離器５を介して前記排出口２２と連通する吸引装置とからなり、前記気液分離器５は垂直方向に仕切壁５１，５７を設けて吸引室Ａと排出室Ｂとに仕切り、前記吸引室Ａの下方を開放するとともに垂直方向に前記仕切壁５１と平行な複数の遮蔽板５２を設け、前記排出室Ｂに空気流通孔５８ａを開口し通気性多孔質部材６を設けた。【選択図】図１
2008049102.tif 000002
【特許請求の範囲】
【請求項１】
装置本体に設けられ、家庭用掃除機の吸込みホースに接続される排出口と、
前記装置本体の内部に設けられた気液分離器と、
前記気液分離器に接続された水受と、
前記装置本体に設けられ、前記気液分離器を介して前記排出口と連通する吸引装置とからなり、
前記気液分離器は垂直方向に仕切壁を設けて吸引室と排出室とに仕切り、
前記吸引室の下方を開放するとともに垂直方向に前記仕切壁と平行な複数の遮蔽板を設け、
前記排出室に空気流通孔を開口し通気性多孔質部材を設けたことを特徴とする、簡易バキューム装置。
【請求項２】
請求項１に記載する簡易バキューム装置において、
吸引装置は、シミ取りを行うシミ取り作業面と、汚れと水分と空気を吸引する吸引ノズルであって、これらシミ取り作業面と吸引ノズルが選択的に前記排出口に連通するようにしたことを特徴とする、簡易バキューム装置。
【発明の詳細な説明】
【技術分野】
【０００１】  本発明は、家庭用電気掃除機の吸引力を利用して衣服のシミを除去したり、汚水を吸引処理するための簡易バキューム装置に関する。
【背景技術】
【０００２】  従来より、被服等に付着したシミを除去する装置として、溶剤及びシミが布地上で拡散する前に吸引しながら、シミを取り除くようにしたシミ取り装置が開発されている（特許文献１、２）。
また、塵埃の入り混じった汚水を吸引し、清掃するタイプの湿式電気掃除機がある（特許文献３）。
【特許文献１】登録実用新案第３００６７７１号公報
【特許文献２】登録実用新案第３１００５５６号公報
【特許文献３】特開平６−３０４０９６号公報
【発明の開示】
【発明が解決しようとする課題】
【０００３】  しかしながら、上記特許文献１，２に示すシミ取り装置は、被服等に付着したシミを除去するだけで、塵埃の入り混じった汚水等を吸引することができない。
また、特許文献１，２に示すシミ取り装置は気液分離が確実に行えなかったり、シミ取り台の作業面積を調整できないなど実用上、問題があった。
また、特許文献３に示すような湿式電気掃除機は、大容量のバキュームモータを用いて汚水の吸引力となる負圧を発生させるため、装置が大型化する。【０００４】  本発明は、被服等に付着したシミを取り除くことはもちろんのこと、塵埃の入り混じった汚水等も吸引し、清掃することを可能にしたコンパクトな簡易バキューム装置を提供することを目的とする。
【課題を解決するための手段】
【０００５】  上記のような目的を達成するために、本発明の簡易バキューム装置は、装置本体に設けられ、家庭用掃除機の吸込みホースに接続される排出口と、前記装置本体の内部に設けられた気液分離器と、前記気液分離器に接続された水受と、前記装置本体に設けられ、前記気液分離器を介して前記排出口と連通する吸引装置とからなり、前記気液分離器は垂直方向に仕切壁を設けて吸引室と排出室とに仕切り、前記吸引室の下方を開放するとともに垂直方向に前記仕切壁と平行な複数の遮蔽板を設け、前記排出室に空気流通孔を開口し通気性多孔質部材を設けたことを特徴とするものである。【０００６】  また吸引装置は、シミ取りを行うシミ取り作業面と、汚れと水分と空気を吸引する吸引ノズルであって、これらシミ取り作業面と吸引ノズルが選択的に前記排出口に連通するようにしたことを特徴とするものである。
【発明の効果】
【０００７】  上記構成の簡易バキューム装置によれば、シミ取りを行うシミ取り作業面と塵埃の入り混じった汚水を吸引する吸引ノズルとを選択的に使用するようになっているので、被服等に付着したシミを取り除くほか塵埃の入り混じった汚水等も吸引し、清掃することができる。
また、汚水を下方へ案内する複数の遮蔽板を吸引室に設け、汚水を吸着分離し空気を通す通気性多孔質部材を排出室に設けたので、気液分離を確実に行うことができる。
【発明を実施するための最良の形態】
【０００８】  以下、図面を参照しながら、本発明に係る実施の形態について説明する。【０００９】＜イ＞簡易バキューム装置
簡易バキューム装置１は、図５及び図６に示すように本体２、外蓋３、水受４とからなる。
外蓋３の上面にシミ取り作業面３０が形成され、また側面に接続ホース１２を差し込む接続部３３が形成されている。接続ホース１２の先端には、吸引ノズル１１が取り付けられる（図６）。これらシミ取り作業面３０と吸引ノズル１１は、特許請求の範囲の吸引装置を構成する。
本体２の内部には、吸引される混合流（汚水、空気等）を汚水と空気とに分離する気液分離器５が備えられている。吸引装置は、気液分離器５を介して排出口２２に連通するようになっている。２６は、本体２の側面に取り付けたハンドルである。【００１０】＜ロ＞気液分離器（図１、図２）
気水分離器５は上ブロック５ａと下ブロック５ｂとからなり、上ブロック５ａの上面に上面開口部５０が開けられ、側面に筒状の接続口７が設けられている。上ブロック５ａの上仕切壁５１と平行して、徐々に長く形成された複数の遮蔽板５２が所定の間隔をもって設けられ、混合流が満遍なく遮蔽板５２に衝突するようになっている。
５３は空気流通板で、５４は上ブロック５ａを下ブロック５ｂに嵌め込むための嵌合部である。【００１１】  下ブロック５ｂの上面は開放されており、上ブロック５ａの上仕切壁５１と対向する位置に、上仕切壁５１を案内するための案内溝５６を設けている。案内溝５６の先には、上仕切壁５１と同一平面となった下仕切壁５７が設けられている。下仕切壁５７で仕切られた片側は底が開放５５され、他の側は空気流通孔５８ａを有する傾斜底５８となっており、スポンジや発泡ウレタンなどからなる通気性多孔質部材６を置くようになっている。通気性多孔質部材６は、汚水がほぼ除去された混合流中に残存する微量の汚水を吸着分離するためのものである。【００１２】  上仕切壁５１を案内溝５６に差し込み、嵌合部５４を嵌め込んで構成された気液分離器５には、吸引室Ａ、排出室Ｂが形成される。上ブロック５ａにメッシュ部材３１を介して外蓋３が回転可能に取り付けられ、下ブロック５ｂに透明な水受４が着脱自在（切欠き５９、ピン４０）に取り付けられる。また下ブロック５ｂの側面には、排出口２２に通じる排出通路２１が設けられている。【００１３】  気水分離器５は以上のように構成されているので、今、掃除機の吸込みホース（図示せず）を排出口２２に接続し、掃除機を運転して簡易バキューム装置１内の空気を吸引すると、図３に示すように混合流は、吸引室Ａ内で矢印のように遮蔽板５２に衝突しながら混合流から汚水が分離され、汚水は開口部５５より水受４へ落下し、空気は空気流通孔５８ａを通って、通気性多孔質部材６、排出室Ｂを経て排出通路２１、排出口２２から掃除機へ吸引される。
なお、一部の汚水が空気流通孔５８ａから侵入しても、通気性多孔質部材６で捕捉されて排出室Ｂ内へ侵入することがない。
掃除機の運転中、気液分離器５の内部は負圧に保たれているので、混合流は水受４内の汚水を激しく飛散させ、飛散した汚水は上方へ跳ね上がることになるが、大部分の汚水は傾斜底５８に衝突して水受４に戻り、排出室Ｂ内に侵入することがない。【００１４】＜ハ＞吸引装置
シミ取り作業面３０は、外蓋３の開口部３２と上ブロック５ａの上面開口部５０とが重なり合う部分のメッシュ部材３１からなるもので、外蓋３を上ブロック５ａに対して回転することにより、シミの大きさに応じてシミ取り作業面３０の面積を任意に調整することができる。
図４はシミ取り作業面３０（図で薄くまぶしてある）の各種状態を示したもので、（Ａ）は開口部３２と上面開口部５０とが全て重なった全開、（Ｂ）は全開に比べて３／４開、（Ｃ）は１／３開の状態を示している。また（Ｄ）は、外蓋３を１８０度回転した状態で、開口部３２と上面開口部５０は重なることがなく、シミ取り作業面３０は形成されず、替わりに接続部３３が接続口７と通じるので、先端に吸引ノズル１１を取り付けた接続ホース１２を接続口７へ接続することができる。このためシミ取り作業面３０と吸引ノズル１１は、選択的に排出口２２と連通することになる。【００１５】  吸引ノズル１１ａ〜ｃは、先端の開口部より汚水を空気と共に吸引するもので、被清掃物に応じて各種用意することができる。吸引ノズル１１ｃは、一部がメッシュ状ｄに構成されており、被服の袖口等のシミ取りに便利である。【００１６】＜ニ＞使用例
次に簡易バキューム装置１の使用例について述べる。
（１）被服等に付着したシミを取り除く場合
図５に示すように、シミ取り作業面３０の上にシミ８０の付着した箇所がくるように布地８をおく。この場合、シミ８０の大きさに応じて外蓋３を回転し、シミ取り作業面３０の大きさを調整しておく。
シミの箇所に溶剤を振りかけて綿棒または刷毛などで叩きながらシミを浮かせ、霧吹き等で水を吹きかける。掃除機のスイッチを入れると、シミ取り作業面３０より汚水（シミ、溶剤及び水）が気液分離器５へ導かれ、汚水が遮蔽板５２に沿って水受４に落下し、空気は空気流通孔５８ａより通気性多孔質部材６、空気流通板５３、排出通路２１を経て排出口２２から掃除機へ吸引される。ある程度、汚水が水受４の底に溜まったらこれを捨てる。このような作業を繰り返しながらシミ取りを行う。【００１７】（２）被服の袖口に付着したシミを取り除く場合
外蓋３を１８０度回転して、接続部３３を接続口７に通じさせ、接続口７に接続ホース１２を接続する（図４（Ｄ）、図６）。接続ホース１２の先端に吸引ノズル１１ｃを取り付け、袖を吸引ノズル１１ｃに通してシミの箇所をメッシュ部材ｄに当てる。前記と同様な作業を行うと、吸引ノズル１１ｃより吸引された汚水が、接続ホース１２、接続口７より気液分離器５へ導かれ、前記と同様に汚水が水受４内に落下し、排出口２２には絶えず空気のみが吸引されてシミ取りが行われる。【００１８】（３）塵埃の入り混じった汚水を吸引する場合
吸引ノズル１１を汚水の箇所に当てて掃除機を駆動させると、吸引ノズル１１から接続ホース１２を経て、塵埃の入り混じった汚水が空気と共に混合流となって、気液分離器５へ吸引される。混合流は、遮蔽板５２に衝突して混合流中の水分及び塵埃が開口部５５から水受４内に落下し、同様に空気は排出口２２から掃除機へ吸引される。絨毯などの汚れを洗剤で水洗いして、汚れた水分を吸引し汚水を回収するなど絨毯の水洗いや浴室の排水口、網戸など住居の各部分の洗浄にも用いることができる。
【図面の簡単な説明】
【００１９】
【図１】簡易バキューム装置の分解斜視図。
【図２】本体と内蓋の分解斜視図。
【図３】簡易バキューム装置の説明図。
【図４】シミ取り作業面の各種状態を示す概略図。
【図５】簡易バキューム装置の使用例を示す斜視図。
【図６】簡易バキューム装置の他の使用例を示す斜視図。
【符号の説明】
【００２０】１・・・・簡易バキューム装置
１１・・・吸引ノズル
１２・・・接続ホース
２・・・・本体
２２・・・排出口
３・・・・外蓋
３０・・・シミ取り作業面
４・・・・水受
５・・・・気液分離器
５１・・・上仕切壁
５２・・・遮蔽板
５７・・・下仕切壁
５８・・・傾斜底
５８ａ・・空気流通孔
６・・・・通気性多孔質部材
７・・・・接続口
【図１】
2008049102.tif 000003
【図２】
2008049102.tif 000004
【図３】
2008049102.tif 000005
【図４】
2008049102.tif 000006
【図５】
2008049102.tif 000007
【図６】
2008049102.tif 000008